(57)【要約】【課題】電波を用いることなく、映像に対応したデータを提供することが可能な映像表示装置、携帯端末、情報提供システム及び映像表示方法を提供する。【解決手段】本発明は、複数のフレームの画像を連続して表示することにより映像を表示し、映像に対応するデータを記録した情報コードを画像に挿入して表示するものであって、映像に対応するデータを情報コードに記録可能な単位に分割するデータ分割部と、分割したデータを順次情報コードに変換するデータ変換部と、データ変換部で変換された複数の情報コードを順次複数のフレームの画像に挿入するコード挿入部と、情報コードが挿入された画像を順次表示する表示部と、を備えることを特徴とする。【選択図】  図１
2015184702.tif 000002
【特許請求の範囲】
【請求項１】
複数のフレームの画像を連続して表示することにより映像を表示し、該映像に対応するデータを記録した情報コードを前記画像に挿入して表示する映像表示装置において、
前記映像に対応するデータを前記情報コードに記録可能な単位に分割するデータ分割部と、
前記データ分割部で分割されたデータを順次前記情報コードに変換するデータ変換部と、
前記データ変換部で変換された複数の情報コードを順次前記複数のフレームの画像に挿入するコード挿入部と、
前記情報コードが挿入された画像を順次表示する表示部と、
を備えることを特徴とする映像表示装置。
【請求項２】
前記データ変換部は、
前記情報コードを生成する際に、再生する順序を示すヘッダデータをそれぞれの前記情報コードに挿入することを特徴とする請求項１に記載の映像表示装置。
【請求項３】
前記データ変換部は、
前記情報コードを生成する際に、前記情報コードに記録されたデータの種別を識別可能なヘッダデータを挿入して前記情報コードを生成することを特徴とする請求項１又は請求項２に記載の映像表示装置。
【請求項４】
前記データ変換部は、
前記情報コードを生成する際に、前記情報コードの誤り訂正に用いるパリティデータを挿入して前記情報コードを生成することを特徴とする請求項１から請求項３のいずれかに記載の映像表示装置。
【請求項５】
前記コード挿入部は、
複数のフレームの画像に連続して同じ前記情報コードを挿入することを特徴とする請求項１から請求項４のいずれかに記載の映像表示装置。
【請求項６】
複数のフレームの画像が連続して表示される映像の該フレームの画像のそれぞれに挿入された情報コードを連続して撮像する撮像部と、
前記撮像部が撮像した複数の情報コードの画像から、データを順次抽出するデータ抽出部と、
前記データ抽出部で抽出された複数のデータを連続して再生するデータ再生部と、
を備える携帯端末。
【請求項７】
複数のフレームの画像を連続して表示することにより映像を表示し、該映像に対応するデータを記録した情報コードを前記画像に挿入して表示する映像表示装置と、
前記画像に表示された情報コードを撮像し、該情報コードに記録されたデータを再生する携帯端末と、を備える情報提供システムにおいて、
前記映像表示装置は、
前記映像に対応するデータを前記情報コードに記録可能な単位に分割するデータ分割部と、
前記データ分割部で分割されたデータを順次前記情報コードに変換するデータ変換部と、
前記データ変換部で変換された複数の情報コードを順次前記複数のフレームの画像に挿入するコード挿入部と、
前記情報コードが挿入された画像を順次表示する表示部と、を備え、
前記携帯端末は、
前記表示部に表示される各情報コードを順次撮像し、該情報コードの画像を複数取得する撮像部と、
前記撮像部が撮像した複数の情報コードの画像から、前記データ変換部で分割されたデータを順次抽出するデータ抽出部と、
前記データ抽出部で抽出された複数のデータを順次再生するデータ再生部と、
を備えることを特徴とする情報提供システム。
【請求項８】
前記携帯端末は、該携帯端末の撮像フレームレートに関する情報を送信する送信部を備え、
前記映像表示装置は、前記撮像フレームレートに関する情報を受信する受信部を備え、
前記コード挿入部は、
前記受信部が受信した撮像フレームレートに関する情報に基づいて、前記携帯端末の撮像フレームレートに合わせて、前記フレームの画像に前記情報コードの画像を挿入することを特徴とする請求項７に記載の情報提供システム。
【請求項９】
複数のフレームの画像を連続して表示することにより映像を表示し、該映像に対応するデータを記録した情報コードを前記画像に挿入して表示する映像表示方法において、
前記映像に対応するデータを前記情報コードに記録可能な単位に分割するデータ分割ステップと、
分割したデータを順次前記情報コードに変換するデータ変換ステップと、
前記データ変換ステップで変換した複数の情報コードを順次前記複数のフレームの画像に挿入するコード挿入ステップと、
前記情報コードが挿入された画像を順次表示する表示ステップと、
を有することを特徴とする映像表示方法。
【発明の詳細な説明】
【技術分野】
【０００１】
本発明は、映像及びこの映像に関連する情報を情報コードに変換して表示する映像表示装置、映像に関連する情報を撮像することにより取得する携帯端末、及びこれらを用いた情報提供システム及び映像表示方法に関する。
【背景技術】
【０００２】
デジタルサイネージ（電子看板）等の映像表示装置は、駅や列車内に設置され、広告や路線図等の映像を表示する。このような映像表示装置において、スピーカによって音声を再生すると、この音声を必要としない人に対しても聞こえてしまい不快感与えるおそれがある。そこで、音声を聞きたい人がラジオ受信機により電波を受信することにより音声を聴取することを可能にした装置がある（例えば、特許文献１）。
【０００３】
しかしながら、特許文献１に記載の映像表示装置は、電波により音声を配信するので、他の周辺機器の誤動作を招くおそれがあった。
【０００４】
一方、電波を用いることなく、携帯電話等の携帯端末にサーバからデータをダウンロードさせる映像表示装置が特許文献２に開示されている。特許文献２に記載の映像表示装置は、ＵＲＬ（Ｕｎｉｆｏｒｍ  ｒｅｓｏｕｒｃｅ  ｌｏｃａｔｏr）を記録した情報コード（例えば、二次元コード等）を表示部に表示し、この表示した情報コードを携帯端末に読み取らせることで、ＵＲＬの情報を携帯端末に提供する。携帯端末を持つユーザは、取得したＵＲＬの示すサーバにアクセスすることで、画像データ等の情報をダウンロードすることができる。
【先行技術文献】
【特許文献】
【０００５】
【特許文献１】特開２００２−３３７７９５号公報
【特許文献２】特開２００６−１９８２９６号公報
【発明の概要】
【発明が解決しようとする課題】
【０００６】
しかしながら、特許文献２に記載の映像表示装置において、情報コードは、ＵＲＬやメールアドレス等、容量の小さいデータを記録することは可能だが、音声データや字幕データ等の容量の大きいデータを記録することはできない。
【０００７】
したがって、特許文献２の映像表示装置において、音声データ等の容量の大きいデータを映像表示装置から携帯端末に提供しようとした場合、携帯端末がサーバにアクセスすることが必須となる。すなわち、特許文献１及び特許文献２に記載された映像表示装置は、電波を用いなければ音声データを提供することができなかった。
【０００８】
本発明は、上記の課題に鑑みてなされたものであり、表示する映像に対応するデータ（例えば、音声データや字幕データ等）を、電波を用いることなく、情報コードを用いて携帯端末に提供することを目的とする。
【課題を解決するための手段】
【０００９】
本発明の映像表示装置は、複数のフレームの画像を連続して表示することにより映像を表示し、該映像に対応するデータを記録した情報コードを前記画像に挿入して表示する映像表示装置であって、前記映像に対応するデータを前記情報コードに記録可能な単位に分割するデータ分割部と、前記データ分割部で分割されたデータを順次前記情報コードに変換するデータ変換部と、前記データ変換部で変換された複数の情報コードを順次前記複数のフレームの画像に挿入するコード挿入部と、前記情報コードが挿入された画像を順次表示する表示部と、を備えることを特徴とする。
【００１０】
本発明の携帯端末は、複数のフレームの画像が連続して表示される映像の該フレームの画像のそれぞれに挿入された情報コードを連続して撮像する撮像部と、前記撮像部が撮像した複数の情報コードの画像から、データを順次抽出するデータ抽出部と、前記データ抽出部で抽出された複数のデータを連続して再生するデータ再生部と、を備えることを特徴とする。
【００１１】
本発明の情報提供システムは、複数のフレームの画像を連続して表示することにより映像を表示し、該映像に対応するデータを記録した情報コードを前記画像に挿入して表示する映像表示装置と、前記画像に表示された情報コードを撮像し、該情報コードに記録されたデータを再生する携帯端末と、を備える情報提供システムであって、前記映像表示装置は、前記映像に対応するデータを前記情報コードに記録可能な単位に分割するデータ分割部と、前記データ分割部で分割されたデータを順次前記情報コードに変換するデータ変換部と、前記データ変換部で変換された複数の情報コードを順次前記複数のフレームの画像に挿入するコード挿入部と、前記情報コードが挿入された画像を順次表示する表示部と、を備え、前記携帯端末は、前記表示部に表示される各情報コードを順次撮像し、該情報コードの画像を複数取得する撮像部と、前記撮像部が撮像した複数の情報コードの画像から、前記データ変換部で分割されたデータを順次抽出するデータ抽出部と、前記データ抽出部で抽出された複数のデータを順次再生するデータ再生部と、を備えることを特徴とする。
【００１２】
本発明の映像表示方法は、複数のフレームの画像を連続して表示することにより映像を表示し、該映像に対応するデータを記録した情報コードを前記画像に挿入して表示する映像表示方法において、前記映像に対応するデータを前記情報コードに記録可能な単位に分割するデータ分割ステップと、分割したデータを順次前記情報コードに変換するデータ変換ステップと、前記データ変換ステップで変換した複数の情報コードを順次前記複数のフレームの画像に挿入するコード挿入ステップと、前記情報コードが挿入された画像を順次表示する表示ステップと、を有することを特徴とする。
【発明の効果】
【００１３】
本発明によれば、表示する映像に対応するデータを情報コードに記録可能な単位で分割し、この分割したデータを順次複数の情報コードに変換して映像の各フレームに連続して挿入するので、携帯端末により各フレームに挿入された情報コードを順次読み取らせることで、映像に対応するデータを電波を用いることなく携帯端末に提供することができる。
【図面の簡単な説明】
【００１４】
【図１】実施の形態１に係る映像表示装置及び携帯端末の構成図。
【図２】実施の形態１に係る映像表示装置及び携帯端末の表示例。
【図３】実施の形態１に係る映像表示装置の表示フレームレートを説明する図。
【図４】実施の形態１に係る映像表示装置の動作フローチャート。
【図５】実施の形態１に係る携帯端末の動作フローチャート。
【図６】実施の形態２に係る映像表示装置及び携帯端末の構成図。
【発明を実施するための形態】
【００１５】
実施の形態１．
以下、図１及び図２を用いて、実施の形態１に係る映像表示装置について説明する。
【００１６】
図１において、映像表示装置１は、外部から映像信号を受信して、対応する映像を表示する装置である。映像表示装置１は、例えば、デジタルサイネージ又はテレビ等がこれに該当する。映像表示装置１は、ネットワークを介してサーバ（図示せず）と接続され、映像信号を受信して対応する映像を表示するもの、又は映像表示装置１内に映像に関する情報を予め記録しており、この映像を表示するもの等を含む。
【００１７】
また、映像表示装置１は、複数のフレームの画像を連続して表示することにより、映像を表示する。なお、この映像において、単位時間あたりいくつのフレームの画像が表示されるかを示す値を表示フレームレートという。表示フレームレートは、通常、単位時間１秒あたりの数値で表し、ｆｐｓ(Ｆｒａｍｅｓ  Ｐｅｒ  Ｓｅｃｏｎｄ)という単位で表す。映像表示装置１の構成について以下詳細に説明する。
【００１８】
映像表示装置１は分離部１０、データ分割部１１、符号化部１２、データ変換部１３、コード挿入部１４、及び表示部１５から構成される。
【００１９】
分離部１０は、サーバ（図示せず）から映像音声信号を受信する。映像音声信号には、映像表示装置１が表示する映像の映像信号と、この映像に対応する音声の音声信号が含まれる。分離部１０は、この映像音声信号を映像信号と音声信号に分離する。
【００２０】
データ分割部１１は、分離部１０で分離された音声信号を後述する情報コードに記録可能な単位に分割する。なお、分割する順序は、後述する携帯端末２で音声が再生される順に分割する。
【００２１】
符号化部１２は、分割した複数の音声信号を携帯端末２で再生可能なバイナリデータなどの音声データに順次符号化する。ここで、携帯端末２は、情報コードを読み取るためのカメラを備える携帯電話、スマートフォン等が該当する。ここでいう情報コードとは、音声情報を記録したものであって、例えば、二次元コードが該当する。二次元コードとは、水平方向、垂直方向に情報を持つ情報コードであって、例えば、ＱＲコード（登録商標）がこれに該当する。なお、情報コードは、二次元コードに限られず、一次元コード、例えばバーコード等でもよい。以下の説明においては、二次元コードを例に説明する。
【００２２】
データ変換部１３は、符号化部１２で符号化された音声データを順次複数の二次元コードに変換する。
【００２３】
コード挿入部１４は、映像信号に、データ変換部１３で変換した複数の二次元コードを順次挿入する。
【００２４】
表示部１５は、二次元コードが挿入された映像を予め決められた表示フレームレートで表示する。例えば、図２に示すように、表示部１５は、映像１６の一部に二次元コード１７を表示する。なお、表示部１５は１つのフレームの画像に対し、1つの二次元コードが挿入された画像を表示する。表示部１５は、この画像が順次表示されることで、動画等の映像を表示することができる。例えば、図３に示すように、映像表示装置１は、二次元コードが挿入された画像Ａ、Ｂ、Ｃ、Ｄを連続して表示することによって、映像を表示する。
【００２５】
次に、図１を用いて本実施の形態１に係る携帯端末２の構成について説明する。携帯端末２は、予め決められた撮像フレームレートで映像表示装置１が表示する二次元コードを読み取とり、この二次元コードに記録されたデータを再生する。撮像フレームレートとは、単位時間当たり、いくつの二次元コードを撮像できるかを示す値である。また、携帯端末２は、例えば、スマートフォン等の携帯電話がこれに該当する。なお、図１に示す携帯端末２の各機能は、ハードウェアによって実現しても良いし、コンピュータに所定のプログラムを実行させることによって実現しても良い。
【００２６】
図１において、携帯端末２は、撮像部２１、データ抽出部２２、復号化部２３、表示部２４、データ再生部２５、情報コード検出部２６から構成される。なお、図１に示す映像表示装置１の各機能は、ハードウェアによって実現しても良いし、コンピュータに所定のプログラムを実行させることによって実現しても良い。
【００２７】
撮像部２１は、映像表示装置１に表示される映像に挿入された二次元コードを撮像する。例えば、撮像部２１は、カメラ等がこれに該当する。
【００２８】
データ抽出部２２は、撮像部２１で撮像した二次元コードの情報を示す撮像信号から二次元コードを抽出し、この二次元コードをバイナリデータに変換する。
【００２９】
復号化部２３は、バイナリデータを後述するデータ再生部２５で再生可能な音声信号に復号化する。
【００３０】
データ再生部２５は、復号化された音声信号を再生する。例えば、データ再生部２５はスピーカに該当する。
【００３１】
表示部２４は、撮像部２１が撮像した映像を表示する。すなわち、撮像した二次元コードの映像を表示する。また、表示部２４は、データ再生部２５がデータの復号化に成功したことを示す画面を表示してもよい。例えば、表示部２４は、データ再生部２５が音声データの復号化に成功した場合に、音声を再生していることを示す画面を表示する。具体的には、図２に示すように、表示部２４は、「音声を再生しています」等の文字を表示する。この場合、復号化部２３は、復号化が完了した際に、表示部２４に対して復号化が完了したことを示す復号化完了信号を出力する。
【００３２】
情報コード検出部２６は、撮像部２１が撮像した映像に二次元コードが含まれるか否かを判定する。二次元コードが含まれるか否かの判定は、二次元コードであることを識別する特定のパターンを検出することによって行うことができる。情報コード検出部２６は、撮像した映像に二次元コードが含まれないと判断した場合、データ抽出部２２の動作を停止させる。
【００３３】
なお、携帯端末２は、撮像部２１、データ抽出部２２、復号化部２３、表示部２４、データ再生部２５、情報コード検出部２６を備えていればよく、携帯電話に限られない。例えば、携帯端末２は、携帯型のゲーム機又はカメラ付きのヘッドマウントディスプレイ方式のウェアラブルコンピュータであってもよい。
【００３４】
次に、図４、図５を用いて、実施の形態１に係る映像表示装置の動作について説明する。図４は実施の形態１に係る映像表示装置の動作フローチャートである。図５は実施の形態１に係る携帯端末の動作フローチャートである。なお、以下の説明において、映像表示装置１が映像を表示し、この映像に対応する音声の情報を携帯端末に提供する例を用いて説明する。また、以下の説明において、映像表示装置１と携帯端末２とを情報提供システムとする。
【００３５】
ＳＴ１において、分離部１０は、外部から映像音声信号を取得する。また、分離部１０は、映像音声信号から映像信号と音声信号とを分離して出力する。
【００３６】
ＳＴ２において、データ分割部１１は、音声信号を分離部１０から受け、携帯端末２で再生可能な単位に分割する。データ分割部１１は、音声信号を分割する際には、携帯端末２で再生する順に分割する。
【００３７】
符号化部１２は、データ分割部１１で分割した複数の音声信号を順次バイナリデータに符号化する。
【００３８】
ＳＴ３において、データ変換部１３は、符号化部１２で符号化された複数のバイナリデータに対して、出力する信号が音声信号であること及びデータの順番を示すヘッダデータ及び誤り訂正等に用いるパリティデータをそれぞれ順次生成する。
【００３９】
ＳＴ４において、データ変換部１３は、生成したヘッダデータ、パリティデータ及び符号化したバイナリデータをそれぞれ順次結合し、二次元コードの情報を生成する。なお、ヘッダデータを二次元コードに記録することで、携帯端末２は、どの順序で二次元コードに記録されたデータを再生すればよいかを認識することができる。
【００４０】
ＳＴ５において、分離部１０により分離された映像信号に、データ変換部１３で生成した複数の二次元コードの情報を順次挿入する。
【００４１】
ＳＴ６において、表示部１５は、二次元コードの情報が挿入された映像信号を受けて、この映像信号に対応する映像を順次表示する。
【００４２】
なお、本実施の形態に係る映像表示装置１は、図４に示したＳＴ１からＳＴ６までの動作を映像音声信号の受信毎に実行する。
【００４３】
次に、図５を用いて、実施の形態１に係る携帯端末の動作について説明する。
【００４４】
ＳＴ７において、撮像部２１は、ユーザの操作により、映像表示装置１の表示部１５に表示された二次元コードを撮像する。また、撮像部２１は、撮像した二次元コードの画像から撮像信号を生成する。さらに、撮像部２１は、撮像信号を表示部２４に出力し、撮像した二次元コードを表示部２４に表示させる。
【００４５】
ＳＴ８において、情報コード検出部２６は、撮像信号を受けて、撮像信号に二次元コードの情報が含まれているか判定する。携帯端末２は、ＳＴ８でＮｏと判定された場合、ＳＴ７の動作に戻る。一方、携帯端末２は、ＳＴ８でＹｅｓと判定された場合、ＳＴ９の動作を実行する。
【００４６】
ＳＴ９において、データ抽出部２２は、撮像信号から二次元コードに記録された情報を抽出する。
【００４７】
ＳＴ１０において、データ抽出部２２は抽出した二次元コードの情報のヘッダデータを解析する。
【００４８】
ＳＴ１１において、データ抽出部２２は、ヘッダデータの解析により、二次元コードに記録された情報が音声データであるか否かを判定する。
【００４９】
携帯端末２は、ＳＴ１１でＮｏと判定された場合、ＳＴ７に戻る。一方、携帯端末２は、ＳＴ１１でＹｅｓと判定された場合、ＳＴ１２の動作を実行する。
【００５０】
ＳＴ１２において、復号化部２３は、二次元コードに記録された音声データを音声信号に復号化する。また、復号化部２３は、音声信号をデータ再生部２５へ出力する。
【００５１】
ＳＴ１３において、データ再生部２５は、音声信号を再生する。
【００５２】
ＳＴ１４において、表示部２４は、復号化部２３から復号化完了信号を受けて、音声を再生していることを示す情報を表示する。
【００５３】
なお、携帯端末２は、図５に示したＳＴ７からＳＴ１４までの動作を撮像部２１の撮像毎に実行する。
【００５４】
なお、ＳＴ１０において、データ抽出部２２は、ヘッダデータを解析して、音声信号が正しい順序であるか否かを確認してもよい。例えば、映像表示装置１に１０個の二次元コードが順次表示された場合において、それぞれの二次元コードには、１から１０番の順で再生することを示すヘッダデータが記録されている。このとき、携帯端末２のデータ抽出部２２は、ヘッダデータを解析することにより、二次元コードに記録された音声データの再生順を判断することができる。例えば、データ抽出部２２は、前回抽出した二次元コードの再生順序が３番目であって、次に取得した二次元コードのヘッダデータが５番目であった場合、再生順序が４番目のヘッダデータの撮像に失敗したと判断し、再度ＳＴ７からＳＴ９を繰り返し実行し、４番目のヘッダデータを有する二次元コードが撮像されるまで待機する。
【００５５】
なお、コード挿入部１４は、携帯端末２が二次元コードの撮像に失敗したときのために、同じ二次元コードの挿入を所定回数繰り返してもよい。
【００５６】
また、携帯端末２は、映像表示装置１に表示された二次元コードを撮像した順に、この二次元コードに記録されたデータを順次再生するものとしたが、全ての二次元コードを撮像して記録しておき、二次元コードのヘッダデータに基づいてデータを再生してもよい。
【００５７】
さらに、本実施の形態に係る音声信号、音声データは、映像に対応する信号及びデータであればよく、例えば、字幕信号及び字幕データ、又は画像信号及び画像データであってもよい。本実施の形態においては、この音声データ、字幕データ、画像データ、及び携帯端末で使用されるアプリケーションデータ（例えば、ゲームなど）を総称してデータとする。以下の実施の形態についても同様のものとする。
【００５８】
以上のように、本実施の形態に係る映像表示装置１は、表示する映像に対応するデータを情報コードに記録可能な単位で分割し、この分割したデータを順次複数の情報コードに変換して映像の各フレームに連続して挿入するので、携帯端末により各フレームに挿入された情報コードを順次読み取らせることで、映像に対応するデータを電波を用いることなく携帯端末に提供することができる。
【００５９】
また、本実施の形態に係る映像表示装置１を用いれば、ユーザは、携帯端末２により映像表示装置１の画面を撮像するだけで、映像表示装置１の映像に対応する音声等のデータを取得することができる。
【００６０】
実施の形態２．
以下、図６を用いて、実施の形態２に係る映像表示装置について説明する。図６は、実施の形態２に係る映像表示装置と携帯端末の構成図である。なお、実施の形態２に係る映像表示装置及び携帯端末の構成において、実施の形態１と同様の構成については、図１と同じ番号を付して説明を省略する。
【００６１】
実施の形態２に係る映像表示装置は、携帯端末２から撮像フレームレートに関する情報を受信することを特徴とする。
【００６２】
映像表示装置１は、携帯端末２の撮像フレームレートに関する情報を受信する受信部１６を備える。
【００６３】
一方、携帯端末２は、撮像部２１の撮像フレームレートに関する情報を送信する送信部２７を備える。
【００６４】
本実施の形態に係る情報提供システムは、携帯端末２が二次元コードを撮像する前に、事前に携帯端末２の送信部２７から映像表示装置１の受信部１６に対して、予め設定された携帯端末２固有の撮像フレームレートを送信する。送信方法の例としては、赤外線通信やＢｌｕｅｔｏｏｔｈ（登録商標）等の既知の通信手段を用いて撮像フレームレートを送信することが該当する。
【００６５】
映像表示装置１は携帯端末２から撮像フレームレートに関する情報を受信した後、この撮像フレームレートをコード挿入部１４に出力する。
【００６６】
コード挿入部１４は、この撮像フレームレートに合わせた表示フレームレートで二次元コードをフレームの画像に挿入する。また、表示部１５は、この撮像フレームレートに合わせた表示フレームレートで、二次元コードが挿入されたフレームの画像を順次表示する。
【００６７】
携帯端末２は、撮像フレームレートが映像表示装置１の表示フレームレートと同一又はそれ以上でなければ、映像表示装置１が連続して表示する二次元コードの全てを取得することができない。この場合、コード挿入部１４は、携帯端末２の撮像フレームレートと表示部１５の表示フレームレートとの差に応じて、二次元コードを複数フレームの画像にわたり連続して挿入すればよい。例えば、表示部１５の表示フレームレートが６０ｆｐｓで、撮像部２１の撮像フレームレートが３０ｆｐｓである場合、携帯端末２が撮像可能な二次元コードは、６０／３０により２フレームに一つとなる。そのため、携帯端末２に二次元コードを確実に撮像させるためには、コード挿入部１４は、同一の二次元コードを２フレーム連続して挿入すればよいことになる。
【００６８】
なお、映像表示装置１が携帯端末２の撮像フレームレートを取得する方法として、携帯端末２の撮像フレームレートが予め分かっているのであれば、映像表示装置１に予め設定しておいてもよい。
【００６９】
このように、本実施の形態の映像表示装置１は、携帯端末２から撮像フレームレートに関する情報を受信し、受信した撮像フレームレートに合わせた表示フレームレートで二次元コードをフレームの画像に挿入するので、表示フレームレートと撮像フレームレートを同期させることが可能となり、さらには携帯端末２に二次元コードを確実に撮像させることが可能となる。
【符号の説明】
【００７０】
１  映像表示装置、２  携帯端末、１０  分離部、１１  データ分割部、１２  符号化部、１３  データ変換部、１４  コード挿入部、１５  表示部、１６  受信部、２１  撮像部、２２  データ抽出部、２３  復号化部、２４  表示部、２５  データ再生部、２６  情報コード検出部、２７  送信部
【図１】
2015184702.tif 000003
【図２】
2015184702.tif 000004
【図３】
2015184702.tif 000005
【図４】
2015184702.tif 000006
【図５】
2015184702.tif 000007
【図６】
2015184702.tif 000008